(57)【要約】【課題】手動式のカードリーダにおいて、フィッシングを阻止することが可能で、かつ、挿入時および引抜き時のカードの移動速度の変動を抑制することが可能なカードリーダを提供する。【解決手段】カード２の挿入および引抜きが手動で行われる手動式のカードリーダは、カード２に接触してカード２を引抜き側へ移動させる排出手段１２と、カード２に刺さってカード２の引抜きを阻止する引抜き阻止手段１３とを備えている。また、このカードリーダは、排出手段１２および／または引抜き阻止手段１３がカード２に接触しないように退避している退避位置と、排出手段１２および／または引抜き阻止手段１３がカード２に対して作用する作用位置との間で、排出手段１２および／または引抜き阻止手段１３を移動させる移動機構を備えている。【選択図】図８
2015014842.tif 000002
【特許請求の範囲】
【請求項１】
カードの挿入および引抜きが手動で行われる手動式のカードリーダにおいて、
前記カードに接触して前記カードを引抜き側へ移動させる排出手段と、前記カードに刺さって前記カードの引抜きを阻止する引抜き阻止手段との少なくともいずれか一方を備えるとともに、
前記カードリーダが備える前記排出手段および／または前記引抜き阻止手段が前記カードに接触しないように退避している位置を退避位置とし、前記カードリーダが備える前記排出手段および／または前記引抜き阻止手段が前記カードに対して作用する位置を作用位置とすると、
前記カードリーダが備える前記排出手段および／または前記引抜き阻止手段を前記退避位置と前記作用位置との間で移動させる移動機構を備えることを特徴とするカードリーダ。
【請求項２】
前記カードリーダに前記カードが挿入されていることを検知するための挿入検知手段を備え、
前記移動機構は、前記挿入検知手段によって、前記カードが所定時間以上、前記カードリーダに挿入されていることが検知されると、前記カードリーダが備える前記排出手段および／または前記引抜き阻止手段を前記退避位置から前記作用位置へ移動させることを特徴とする請求項１記載のカードリーダ。
【請求項３】
前記排出手段および前記引抜き阻止手段を備え、
前記退避位置にある前記排出手段および前記引抜き阻止手段が前記作用位置に向かって移動すると、まず、前記排出手段が前記カードに接触し、その後、前記引抜き阻止手段が前記カードに刺さることを特徴とする請求項１または２記載のカードリーダ。
【請求項４】
前記排出手段は、前記カードに接触して回転する駆動ローラであることを特徴とする請求項１から３のいずれかに記載のカードリーダ。
【請求項５】
前記作用位置にある前記駆動ローラに対向配置され、前記駆動ローラと前記カードとの接触圧を高める対向部を備えることを特徴とする請求項４記載のカードリーダ。
【請求項６】
前記移動機構の駆動源と前記駆動ローラの駆動源とが共通であることを特徴とする請求項４または５記載のカードリーダ。
【請求項７】
前記引抜き阻止手段は、前記カードに刺さる引抜き阻止爪を有する爪部材であることを特徴とする請求項１から６のいずれかに記載のカードリーダ。
【請求項８】
前記排出手段として、前記カードに接触して回転する駆動ローラを備えるとともに、前記引抜き阻止手段として、前記カードに刺さる引抜き阻止爪を有する爪部材を備え、
前記移動機構は、前記爪部材を回動可能に保持する支持軸と、前記支持軸を回転させるモータと、前記支持軸の回転力を前記爪部材に伝達する第１歯車列と、前記支持軸の回転力を前記駆動ローラに伝達する第２歯車列とを備え、
前記駆動ローラは、前記爪部材に回転可能に保持され、
前記駆動ローラおよび前記爪部材は、前記支持軸および前記第１歯車列を介して伝達される前記モータの動力によって、前記支持軸を回動の中心にして回動して、前記退避位置と前記作用位置との間を移動し、
前記駆動ローラは、前記支持軸および前記第２歯車列を介して伝達される前記モータの動力によって回転することを特徴とする請求項１から７のいずれかに記載のカードリーダ。
【請求項９】
前記爪部材には、前記支持軸の軸心を曲率中心とする円弧状の係合孔が形成され、
前記移動機構は、前記係合孔に係合する係合ピンと、前記モータから前記爪部材への動力の伝達方向において前記第１歯車列と前記爪部材との間に配置され前記支持軸に回転可能に保持されるとともに前記係合ピンが固定されるピン固定部材と、前記支持軸を中心にして前記係合ピンに対して前記爪部材を付勢する付勢部材とを備え、
前記ピン固定部材には、前記モータから前記爪部材への動力の伝達方向において前記第１歯車列の最も前記爪部材側に配置される出力歯車に係合する歯部が形成され、
前記支持軸を中心とする前記爪部材の回動方向における前記退避位置側を第１方向とし、前記支持軸を中心とする前記爪部材の回動方向における前記作用位置側を第２方向とすると、
前記付勢部材は、円弧状に形成される前記係合孔の前記第１方向端に前記係合ピンが接触するように前記第２方向へ前記爪部材を付勢しており、
前記退避位置にある前記駆動ローラおよび前記爪部材が前記第２方向へ回動すると、まず、前記駆動ローラが前記カードに接触し、その後、前記引抜き阻止爪が前記カードに刺さるようになっており、
前記爪部材は、前記駆動ローラが前記カードに接触することで生じる前記第１方向への前記爪部材に対する抗力が前記付勢部材の付勢力と釣り合うまで前記ピン固定部材と一緒に前記退避位置から前記第２方向へ回動し、前記第１方向への前記爪部材に対する抗力が前記付勢部材の付勢力よりも大きくなると、前記ピン固定部材が回動しても前記係合孔の前記第２方向端に前記係合ピンが接触するまで停止し、前記係合孔の前記第２方向端に前記係合ピンが接触すると、前記引抜き阻止爪が前記カードに刺さるまで前記ピン固定部材と一緒に前記第２方向へ回動することを特徴とする請求項８記載のカードリーダ。
【請求項１０】
前記付勢部材は、前記支持軸が挿通されるとともに、その一端が前記爪部材に係合しその他端が前記係合ピンに係合するネジリコイルバネであることを特徴とする請求項９記載のカードリーダ。
【請求項１１】
前記係合孔の前記第１方向端に接触する前記係合ピンが前記係合孔の前記第２方向端に接触するまで前記ピン固定部材が回動する間に、前記駆動ローラは、前記カードに外力が作用していなければ、前記カードの挿入側端が前記駆動ローラから抜けるまで前記カードを引抜き側へ移動させることを特徴とする請求項９または１０記載のカードリーダ。
【請求項１２】
前記カードに記録された情報の読取りおよび前記カードへの情報の書込みの少なくともいずれか一方を行うカードリーダ本体部を備えるとともに、
前記排出手段および前記引抜き阻止手段の少なくともいずれか一方と、前記移動機構とがユニット化されたユニット部を備え、
前記ユニット部は、前記カードリーダ本体部に対して着脱可能になっていることを特徴とする請求項１から１１のいずれかに記載のカードリーダ。
【発明の詳細な説明】
【技術分野】
【０００１】
本発明は、カードの挿入および引抜きが手動で行われる手動式のカードリーダに関する。
【背景技術】
【０００２】
従来、カードの挿入および引抜きが手動で行われる手動式のカードリーダが知られている（たとえば、特許文献１参照）。特許文献１に記載のカードリーダは、挿入されたカードと連動して移動するスライダと、カードの排出方向へスライダを付勢する排出バネと、スライダをロックするロック機構とを備えている。このカードリーダでは、ユーザがカードを挿入すると、スライダが、カードと一緒に排出バネの付勢力に抗してカードリーダの奥側へ移動し、ロック機構によってロックされる。また、このカードリーダでは、カードへの処理が終了すると、ロック機構によるスライダのロック状態が解除され、ロック状態が解除されたスライダが排出バネの付勢力でカードの排出側へ移動する。スライダがカードの排出側へ移動すると、ユーザはカードを引き抜く。
【先行技術文献】
【特許文献】
【０００３】
【特許文献１】特開２０００−１４８９２５号公報
【発明の概要】
【発明が解決しようとする課題】
【０００４】
カードリーダが利用される業界においては、犯罪者が、たとえば、ＡＴＭ（Ａｕｔｏｍａｔｅｄ  Ｔｅｌｌｅｒ  Ｍａｃｈｉｎｅ）に設けられたカードリーダからのカードの引抜きを妨害する何らかの仕掛けをして、カードリーダからカードを取り出せないようにし、ユーザがＡＴＭから立ち去った後、この仕掛けを取り外してカードを不正に取得するいわゆるフィッシングが大きな問題となっている。特許文献１に記載のカードリーダでは、カードと連動して移動するスライダが排出バネによってカードの排出方向へ付勢されているが、犯罪者が何らかの仕掛けをしてユーザがカードを取れないようにした場合、排出バネの付勢力が小さいと、排出バネの付勢力によってカードを強制的に排出することができない。すなわち、このカードリーダでは、排出バネの付勢力が小さいと、フィッシングを阻止することができない。
【０００５】
一方で、特許文献１に記載のカードリーダにおいて、フィッシングを阻止することが可能になる程度まで、排出バネの付勢力を大きくすると、ユーザがカードリーダの内部へカードを挿入していくにしたがってカードの挿入負荷が大きくなる。手動式のカードリーダにおいて、カードの挿入負荷が次第に大きくなっていくと、挿入時のカードの移動速度が変動しやすくなる。挿入時のカードの移動速度が変動すると、たとえば、カードの挿入時にカードに記録された磁気データを読み取るカードリーダでは、磁気データの読取りエラーが発生しやすくなる等の問題が生じる。
【０００６】
そこで、本発明の課題は、手動式のカードリーダにおいて、フィッシングを阻止することが可能で、かつ、挿入時および引抜き時のカードの移動速度の変動を抑制することが可能なカードリーダを提供することにある。
【課題を解決するための手段】
【０００７】
上記の課題を解決するため、本発明のカードリーダは、カードの挿入および引抜きが手動で行われる手動式のカードリーダにおいて、カードに接触してカードを引抜き側へ移動させる排出手段と、カードに刺さってカードの引抜きを阻止する引抜き阻止手段との少なくともいずれか一方を備えるとともに、カードリーダが備える排出手段および／または引抜き阻止手段がカードに接触しないように退避している位置を退避位置とし、カードリーダが備える排出手段および／または引抜き阻止手段がカードに対して作用する位置を作用位置とすると、カードリーダが備える排出手段および／または引抜き阻止手段を退避位置と作用位置との間で移動させる移動機構を備えることを特徴とする。
【０００８】
本発明のカードリーダは、カードに接触してカードを引抜き側へ移動させる排出手段と、カードに刺さってカードの引抜きを阻止する引抜き阻止手段との少なくともいずれか一方を備えている。そのため、本発明では、犯罪者が何らかの仕掛けをしてカードを詰まらせた場合であっても、排出手段によってカードリーダからカードを強制的に排出することが可能になって、ユーザがカードを持ち帰ることが可能になるか、あるいは、引抜き阻止手段によってカードリーダからのカードの引抜きを阻止して、犯罪者によるカードの持ち去りを防止することが可能になる。したがって、本発明のカードリーダでは、フィッシングを阻止することが可能になる。
【０００９】
また、本発明のカードリーダは、排出手段および／または引抜き阻止手段を退避位置と作用位置との間で移動させる移動機構を備えているため、カードの挿入時および引抜き時に、排出手段および／または引抜き阻止手段を退避位置に退避させておくことが可能になる。したがって、本発明では、排出手段および／または引抜き阻止手段に起因するカードの挿入負荷やカードの引抜き負荷の変動を防止することが可能になる。その結果、本発明では、挿入時および引抜き時のカードの移動速度の変動を抑制することが可能になる。
【００１０】
また、本発明では、挿入時および引抜き時のカードの移動速度の変動を抑制することが可能になるため、ユーザによるカードリーダへのカードの挿入操作やカードリーダからのカードの引抜き操作が容易になる。また、本発明では、挿入時および引抜き時のカードの移動速度の変動を抑制することが可能になるため、たとえば、カードの挿入時または引抜き時に、カードに記録された磁気データをカードリーダで読み取る場合であっても、磁気データの読取りエラーが発生しにくくなる。
【００１１】
本発明において、カードリーダは、カードリーダにカードが挿入されていることを検知するための挿入検知手段を備え、移動機構は、挿入検知手段によって、カードが所定時間以上、カードリーダに挿入されていることが検知されると、カードリーダが備える排出手段および／または引抜き阻止手段を退避位置から作用位置へ移動させることが好ましい。カードが所定時間以上、カードリーダに挿入されている場合には、フィッシングが行われるおそれがあると推定されるため、このように構成すると、フィッシングが行われるおそれがあると推定されるときに、排出手段および／または引抜き阻止手段を退避位置から作用位置へ移動させることが可能になる。
【００１２】
本発明において、カードリーダは、排出手段および引抜き阻止手段を備え、退避位置にある排出手段および引抜き阻止手段が作用位置に向かって移動すると、まず、排出手段がカードに接触し、その後、引抜き阻止手段がカードに刺さることが好ましい。このように構成すると、犯罪者の何らかの仕掛けによってカードが詰まっても、カードを強制的に排出できる場合には、引抜き阻止手段がカードに刺さらない。したがって、犯罪者の何らかの仕掛けによってカードが詰まっても、カードを強制的に排出できる場合には、カードの傷の発生を防止することが可能になり、その結果、強制排出されたカードを引き続き使用することが可能になる。
【００１３】
本発明において、排出手段は、カードに接触して回転する駆動ローラであることが好ましい。このように構成すると、比較的簡易な構成で、カードの強制排出量を確保することが可能になる。すなわち、ユーザがカードを引き抜くことが可能となるカードの排出量を確保することが可能になる。
【００１４】
本発明において、カードリーダは、作用位置にある駆動ローラに対向配置され、駆動ローラとカードとの接触圧を高める対向部を備えることが好ましい。このように構成すると、駆動ローラによるカードの強制排出力を高めることが可能になり、その結果、フィッシングを効果的に阻止することが可能になる。
【００１５】
本発明において、移動機構の駆動源と駆動ローラの駆動源とは共通であることが好ましい。このように構成すると、カードリーダの構成を簡素化することが可能になる。
【００１６】
本発明において、引抜き阻止手段は、たとえば、カードに刺さる引抜き阻止爪を有する爪部材である。
【００１７】
本発明において、カードリーダは、排出手段として、カードに接触して回転する駆動ローラを備えるとともに、引抜き阻止手段として、カードに刺さる引抜き阻止爪を有する爪部材を備え、移動機構は、爪部材を回動可能に保持する支持軸と、支持軸を回転させるモータと、支持軸の回転力を爪部材に伝達する第１歯車列と、支持軸の回転力を駆動ローラに伝達する第２歯車列とを備え、駆動ローラは、爪部材に回転可能に保持され、駆動ローラおよび爪部材は、支持軸および第１歯車列を介して伝達されるモータの動力によって、支持軸を回動の中心にして回動して、退避位置と作用位置との間を移動し、駆動ローラは、支持軸および第２歯車列を介して伝達されるモータの動力によって回転することが好ましい。
【００１８】
このように構成すると、共通のモータを用いて、駆動ローラおよび爪部材を退避位置と作用位置との間で移動させるとともに、駆動ローラを回転させることができる。したがって、カードリーダの構成を簡素化することが可能になる。また、このように構成すると、駆動ローラが爪部材に回転可能に保持されているため、駆動ローラを保持するための部材を別途、設ける必要がなくなる。したがって、カードリーダの構成を簡素化することが可能になる。また、このように構成すると、第１歯車列の減速比と第２歯車列の減速比とを任意に設定することで、駆動ローラおよび爪部材の移動量と駆動ローラの回転量とを任意に設定することが可能になる。
【００１９】
本発明において、爪部材には、支持軸の軸心を曲率中心とする円弧状の係合孔が形成され、移動機構は、係合孔に係合する係合ピンと、モータから爪部材への動力の伝達方向において第１歯車列と爪部材との間に配置され支持軸に回転可能に保持されるとともに係合ピンが固定されるピン固定部材と、支持軸を中心にして係合ピンに対して爪部材を付勢する付勢部材とを備え、ピン固定部材には、モータから爪部材への動力の伝達方向において第１歯車列の最も爪部材側に配置される出力歯車に係合する歯部が形成され、支持軸を中心とする爪部材の回動方向における退避位置側を第１方向とし、支持軸を中心とする爪部材の回動方向における作用位置側を第２方向とすると、付勢部材は、円弧状に形成される係合孔の第１方向端に係合ピンが接触するように第２方向へ爪部材を付勢しており、退避位置にある駆動ローラおよび爪部材が第２方向へ回動すると、まず、駆動ローラがカードに接触し、その後、引抜き阻止爪がカードに刺さるようになっており、爪部材は、駆動ローラがカードに接触することで生じる第１方向への爪部材に対する抗力が付勢部材の付勢力と釣り合うまでピン固定部材と一緒に退避位置から第２方向へ回動し、第１方向への爪部材に対する抗力が付勢部材の付勢力よりも大きくなると、ピン固定部材が回動しても係合孔の第２方向端に係合ピンが接触するまで停止し、係合孔の第２方向端に係合ピンが接触すると、引抜き阻止爪がカードに刺さるまでピン固定部材と一緒に第２方向へ回動することが好ましい。
【００２０】
このように構成すると、退避位置にある駆動ローラおよび爪部材が第２方向へ回動すると、まず、駆動ローラがカードに接触し、その後、引抜き阻止爪がカードに刺さるようになっているため、犯罪者の何らかの仕掛けによってカードが詰まっても、カードを強制的に排出できる場合には、引抜き阻止爪がカードに刺さらない。したがって、犯罪者の何らかの仕掛けによってカードが詰まっても、カードを強制的に排出できる場合には、カードの傷の発生を防止することが可能になり、その結果、強制排出されたカードを引き続き使用することが可能になる。また、この場合には、爪部材に形成された係合孔と係合ピンと付勢部材とを用いた比較的簡易な構成で、退避位置にある駆動ローラおよび爪部材が第２方向へ回動すると、まず、駆動ローラがカードに接触し、その後、引抜き阻止爪がカードに刺さるように、カードリーダを構成することが可能になる。また、このように構成すると、爪部材に対する抗力が付勢部材の付勢力よりも大きくなって、係合孔の第２方向端に係合ピンが接触するまで爪部材が停止しても、ピン固定部材に固定された係合ピンが支持軸を中心に回動するため、付勢部材による第２方向への爪部材の付勢力が高くなる。すなわち、付勢部材による第２方向への駆動ローラの付勢力が高くなり、駆動ローラとカードとの接触圧を高めることが可能になる。したがって、駆動ローラによるカードの強制排出力を高めることが可能になり、その結果、カードを傷つけることなく、フィッシングを阻止することが可能になる。
【００２１】
本発明において、付勢部材は、支持軸が挿通されるとともに、その一端が爪部材に係合しその他端が係合ピンに係合するネジリコイルバネであることが好ましい。このように構成すると、付勢部材を小型化することが可能になる。
【００２２】
本発明において、係合孔の第１方向端に接触する係合ピンが係合孔の第２方向端に接触するまでピン固定部材が回動する間に、駆動ローラは、カードに外力が作用していなければ、カードの挿入側端が駆動ローラから抜けるまでカードを引抜き側へ移動させることが好ましい。このように構成すると、引抜き阻止爪がカードに刺さる前の駆動ローラによる引抜き側へのカードの移動量を大きくすることが可能になる。すなわち、引抜き阻止爪がカードに刺さる前の、駆動ローラによるカードリーダからのカードの排出量を大きくすることが可能になる。
【００２３】
本発明において、カードリーダは、カードに記録された情報の読取りおよびカードへの情報の書込みの少なくともいずれか一方を行うカードリーダ本体部を備えるとともに、排出手段および引抜き阻止手段の少なくともいずれか一方と、移動機構とがユニット化されたユニット部を備え、ユニット部は、カードリーダ本体部に対して着脱可能になっていることが好ましい。このように構成すると、市場に設置されて既に使用されているカードリーダ本体部に、ユニット部を後付けすることが可能になる。したがって、市場で既に使用されているカードリーダ本体部に対して、フィッシング対策を容易に行うことが可能になる。
【発明の効果】
【００２４】
以上のように、本発明の手動式のカードリーダでは、フィッシングを阻止することが可能になり、また、挿入時および引抜き時のカードの移動速度の変動を抑制することが可能になる。
【図面の簡単な説明】
【００２５】
【図１】本発明の実施の形態にかかるカードリーダの平面図である。
【図２】図１に示すカードリーダを奥側から示す斜視図である。
【図３】図２に示すカードリーダをカードリーダ本体部とフィッシング阻止ユニットとに分解した状態の分解斜視図である。
【図４】図３に示す駆動ローラ、爪部材および移動機構の平面図である。
【図５】図４のＥ−Ｅ方向から駆動ローラ、爪部材および移動機構を示す側面図である。
【図６】図４に示す爪部材およびその周辺部分を示す斜視図である。
【図７】図４に示す爪部材の斜視図である。
【図８】図３に示すフィッシング阻止ユニットの動作を説明するための図である。
【発明を実施するための形態】
【００２６】
以下、図面を参照しながら、本発明の実施の形態を説明する。
【００２７】
（カードリーダの全体構成）
図１は、本発明の実施の形態にかかるカードリーダ１の平面図である。図２は、図１に示すカードリーダ１を奥側から示す斜視図である。図３は、図２に示すカードリーダ１をカードリーダ本体部３とフィッシング阻止ユニット４とに分解した状態の分解斜視図である。
【００２８】
本形態のカードリーダ１は、カード２の挿入および引抜きが手動で行われる手動式のカードリーダである。具体的には、カードリーダ１は、ユーザが手動でカードリーダ１の内部にカード２を挿入する際、あるいは、ユーザが手動でカードリーダ１からカード２を引き抜く際に、磁気データの読取りや書込みを行ういわゆるディップ式のカードリーダである。このカードリーダ１は、たとえば、ＡＴＭ（Ａｕｔｏｍａｔｅｄ  ｔｅｌｌｅｒ  ｍａｃｈｉｎｅ）等の所定の上位装置に搭載されて使用される。
【００２９】
本形態では、図１等に示すＸ方向でカード２が移動する。具体的には、Ｘ１方向にカード２が挿入され、Ｘ２方向にカード２が引き抜かれる。すなわち、Ｘ１方向は、カード２の挿入方向であり、Ｘ２方向は、カード２の引抜き方向である。また、Ｘ方向に直交する図１等のＺ方向は、カードリーダ１に挿入されたカード２の厚さ方向であり、Ｘ方向とＺ方向とに直交する図１等のＹ方向は、カードリーダ１に挿入されたカード２の幅方向（短手幅方向）である。なお、以下の説明では、Ｘ１方向側を「奥（後ろ）」側、Ｘ２方向側を「手前（前）」側、Ｙ１方向側を「右」側、Ｙ２方向側を「左」側、Ｚ１方向側を「上」側、Ｚ２方向側を「下」側とする。
【００３０】
カードリーダ１は、カード２に記録された磁気データの読取りおよびカード２への磁気データの書込みの少なくともいずれか一方を行う磁気ヘッド（図示省略）を有するカードリーダ本体部３と、カードリーダ１におけるフィッシングを阻止するためのフィッシング阻止ユニット４とを備えている。フィッシング阻止ユニット４は、カードリーダ本体部３の上面側に取り付けられている。
【００３１】
カード２は、たとえば、厚さが０．７〜０．８ｍｍ程度の矩形状の塩化ビニール製のカードである。カード２には、磁気データが記録される磁気ストライプが形成されている。なお、カード２には、ＩＣチップが内蔵されても良いし、通信用のアンテナが内蔵されても良い。また、カード２は、厚さが０．１８〜０．３６ｍｍ程度のＰＥＴ（ポリエチレンテレフタレート）カードであっても良いし、所定の厚さの紙カード等であっても良い。
【００３２】
カードリーダ本体部３は、カード２が挿入されるカード挿入口が形成されるカード挿入部７と、カード２が通過するカード通過路８（図３参照）が形成される本体フレーム９と、制御基板１０とを備えている。制御基板１０は、本体フレーム９の下面側に固定されている。また、カードリーダ本体部３は、カードリーダ１にカード２が挿入されていることを検知するための挿入検知手段（図示省略）を備えている。この挿入検知手段は、たとえば、発光素子と受光素子とを有する光学式のセンサと、本体フレーム９に回動可能に保持されるレバー部材とから構成されており、レバー部材は、カードリーダ１にカード２が挿入されているときに、センサの発光素子と受光素子との間を遮っている。
【００３３】
本体フレーム９の前端側は、カードリーダ１に挿入されたときのカード２の前端側をユーザが摘めるように形成されている。具体的には、本体フレーム９の前端側は、上下方向から見たときの形状が略Ｕ形状となるように形成されている。本体フレーム９には、磁気ヘッドが取り付けられている。カード通過路８は、上下方向における本体フレーム９の中間位置に形成されている。
【００３４】
本体フレーム９の上面側には、図３に示すように、開口部９ａが形成されている。開口部９ａは、上下方向において、本体フレーム９の上面からカード通過路８まで形成されており、カードリーダ１の上面側に取り付けられるフィッシング阻止ユニット４を取り外すと、図３に示すように、カード通過路８が露出する。また、本体フレーム９には、フィッシング阻止ユニット４を構成する後述の駆動ローラ１２に対向配置される対向部が形成されている。この対向部は、後述のようにカード２に接触して回転する駆動ローラ１２と、カード２との接触圧を高める機能を果たしている。
【００３５】
カード挿入部７は、本体フレーム９の前端側を覆うように形成されたハウジングであり、上下方向から見たときの形状が略Ｕ形状となるように形成されている。カード挿入口は、上下方向におけるカード挿入部７の中間位置に形成されており、カード通過路８に繋がっている。
【００３６】
フィッシング阻止ユニット４は、カード２に接触してカード２を手前側へ移動させる排出手段としての駆動ローラ１２と、カード２に刺さってカード２の引抜きを阻止する引抜き阻止手段としての爪部材１３と、駆動ローラ１２および爪部材１３を上下方向へ移動させる移動機構１４と、制御基板１５とを備えている。フィッシング阻止ユニット４では、駆動ローラ１２、爪部材１３、移動機構１４および制御基板１５等が共通のフレーム１６に取り付けられており、これらの構成がユニット化されている。本形態のフィッシング阻止ユニット４は、排出手段である駆動ローラ１２と、引抜き阻止手段である爪部材１３と、移動機構１４とがユニット化されたユニット部である。
【００３７】
上述のように、フィッシング阻止ユニット４は、カードリーダ本体部３の上面側に取り付けられている。具体的には、フィッシング阻止ユニット４は、ネジを用いて、フレーム１６を本体フレーム９に固定するとともに、コネクタを介して制御基板１５に接続されたフレキシブルフラットケーブル（ＦＦＣ）１７の一端を制御基板１０のコネクタに差し込むことで、本体フレーム９の上面側に取り付けられており、ＦＦＣ１７の一端を制御基板１０のコネクタから抜いて、フレーム１６を本体フレーム９に固定するためのネジを取り外せば、フィッシング阻止ユニット４をカードリーダ本体部３から容易に取り外すことができる。すなわち、フィッシング阻止ユニット４は、カードリーダ本体部３に対して着脱可能となっている。以下、フィッシング阻止ユニット４の具体的な構成について説明する。なお、ＦＦＣ１７に代えて、フレキブルプリント基板（ＦＰＣ）が設けられても良い。
【００３８】
（フィッシング阻止ユニットの構成）
図４は、図３に示す駆動ローラ１２、爪部材１３および移動機構１４の平面図である。図５は、図４のＥ−Ｅ方向から駆動ローラ１２、爪部材１３および移動機構１４を示す側面図である。図６は、図４に示す爪部材１３およびその周辺部分を示す斜視図である。図７は、図４に示す爪部材１３の斜視図である。図８は、図３に示すフィッシング阻止ユニット４の動作を説明するための図である。
【００３９】
上述のように、フィッシング阻止ユニット４は、駆動ローラ１２と爪部材１３と移動機構１４とを備えている。移動機構１４は、フレーム１６に回転可能に保持されるとともに爪部材１３を回動可能に保持する支持軸２１と、支持軸２１を回転させる駆動源としてのモータ２２と、モータ２２の動力を支持軸２１に伝達する歯車列２３と、支持軸２１の回転力を爪部材１３に伝達する第１歯車列としての歯車列２４と、支持軸２１の回転力を駆動ローラ１２に伝達する第２歯車列としての歯車列２５と、爪部材１３に形成される後述の係合孔１３ｅに係合する係合ピン２６と、支持軸２１に回動可能に保持されるとともに係合ピン２６が固定されるピン固定部材２７とを備えている。
【００４０】
支持軸２１は、その軸方向と左右方向とが略一致するように配置されている。支持軸２１の両端側は、軸受３０を介してフレーム１６に保持されており、支持軸２１は、左右方向を回転の軸方向としてフレーム１６に対して回転可能となっている。また、支持軸２１は、フレーム１６の前端側に配置されている。モータ２２は、フレーム１６の左後端側に固定されており、支持軸２１の後ろ側に配置されている。このモータ２２は、出力軸の軸方向が上下方向と略一致するように配置されている。歯車列２３は、モータ２２の出力軸と支持軸２１の左端側とを連結する減速歯車列である。この歯車列２３は、ウォームギアを備えており、このウォームギアによって、上下方向を回転の軸方向とするモータ２２の回転が左右方向を回転の軸方向とする支持軸２１の回転に変換される。
【００４１】
爪部材１３は、金属板を略角溝状に折り曲げることで形成されている。この爪部材１３は、カード２に刺さる引抜き阻止爪１３ａが形成される２個の爪形成部１３ｂと、２個の爪形成部１３ｂを繋ぐ連結部１３ｃとから構成されている。２個の爪形成部１３ｂは、左右方向に直交する平板状に形成されており、左右方向に所定の間隔をあけた状態で連結部１３ｃによって連結されている。連結部１３ｃは、２個の爪形成部１３ｂの奥上端側を繋いでいる。引抜き阻止爪１３ａは、先端が尖った突起状に形成されている。また、引抜き阻止爪１３ａは、爪形成部１３ｂの後ろ下端側に形成されている。
【００４２】
爪形成部１３ｂには、軸受３１が取り付けられる円形の貫通孔１３ｄが形成されている（図７参照）。貫通孔１３ｄは、爪形成部１３ｂの前上端側に形成されている。爪形成部１３ｂは、軸受３１を介して支持軸２１に保持されており、爪部材１３は、左右方向を回動の軸方向として支持軸２１に対して回動可能となっている。また、爪部材１３は、左右方向における支持軸２１の略中心部分に保持されている。
【００４３】
左側に配置される爪形成部１３ｂには、係合ピン２６が係合する係合孔１３ｅが形成されている。係合孔１３ｅは、左側に配置される爪形成部１３ｂを貫通するように形成されている。また、係合孔１３ｅは、左右方向から見たときの形状が円弧状となるように形成されている。具体的には、係合孔１３ｅは、支持軸２１の軸心（すなわち、貫通孔１３ｄの中心）を曲率中心とする円弧状に形成されている。また、係合孔１３ｅは、中心角の比較的小さな円弧状に形成されている。この係合孔１３ｅは、貫通孔１３ｄの上側に形成されている。連結部１３ｃの前端には、後述のネジリコイルバネ４４の一端が係合する切欠き部１３ｆが形成されている。なお、以下では、係合孔１３ｅの、図８における時計回りの方向（時計方向）端を一端１３ｇとし、係合孔１３ｅの、図８における反時計回りの方向（反時計方向）端を他端１３ｈとする。
【００４４】
駆動ローラ１２は、中心側に配置される金属製の芯金と、芯金の外周面に固定されるゴム製の外周側部材とから構成されるゴムローラである。この駆動ローラ１２は、爪形成部１３ｂの奥端側に固定される固定軸３２に回転可能に保持されている。すなわち、駆動ローラ１２は、固定軸３２を介して爪部材１３に回転可能に保持されている。固定軸３２の両端側のそれぞれは、２個の爪形成部１３ｂのそれぞれに固定されており、固定軸３２は、２個の爪形成部１３ｂの間に配置されている。また、固定軸３２は、その軸方向と左右方向とが略一致するように配置されており、駆動ローラ１２は、左右方向を回転の軸方向として回転可能となっている。
【００４５】
歯車列２５は、支持軸２１に固定される歯車３３と、駆動ローラ１２の右側面に固定される歯車３４と、歯車３３および歯車３４に係合する歯車３５とから構成されている。歯車３５は、固定軸３６に回転可能に保持されている。固定軸３６は、右側に配置される爪形成部１３ｂに固定されている。歯車３３〜３５は、右側に配置される爪形成部１３ｂと隣接するように、右側に配置される爪形成部１３ｂの左側に配置されている。なお、本形態では、歯車３３のピッチ円の径と歯車３４のピッチ円の径とが等しくなっており、歯車列２５は、支持軸２１の回転を減速せずに駆動ローラ１２に伝達している。
【００４６】
歯車列２４は、支持軸２１に固定される歯車３７と、フレーム１６に回転可能に保持される複数の歯車とから構成された減速歯車列である。複数の歯車は、フレーム１６に固定される２本の固定軸３８に回転可能に保持されており、固定軸３８を介してフレーム１６に回転可能に保持されている。歯車列２４は、爪部材１３よりも左側に配置されている。
【００４７】
ピン固定部材２７は、左右方向に直交する平板状に形成されている。ピン固定部材２７の略中心には、軸受４１が取り付けられる円形の貫通孔が形成されている。ピン固定部材２７は、軸受４１を介して支持軸２１に保持されており、左右方向を回動の軸方向として支持軸２１に対して回動可能となっている。ピン固定部材２７の奥端側には、複数の歯からなる歯部２７ａが形成されている。歯部２７ａは、モータ２２から爪部材１３への動力の伝達方向において歯車列２４の最も爪部材１３側に配置される出力歯車としての歯車４２に係合している。ピン固定部材２７は、爪部材１３と隣接するように爪部材１３の左側に配置されている。また、ピン固定部材２７は、モータ２２から爪部材１３への動力の伝達方向において歯車列２４と爪部材１３との間に配置されている。
【００４８】
係合ピン２６は、ピン固定部材２７から右側へ突出するようにピン固定部材２７の上端側に固定されている。２個の爪形成部１３ｂの間には、付勢部材としてのネジリコイルバネ４４が配置されている。ネジリコイルバネ４４には、支持軸２１が挿通されている。ネジリコイルバネ４４の一端は、爪部材１３の切欠き部１３ｆに係合し、ネジリコイルバネ４４の他端は、係合ピン２６の右端側部分（すなわち、先端側部分）に係合している。ネジリコイルバネ４４は、支持軸２１を中心にして係合ピン２６に対して爪部材１３を付勢している。具体的には、ネジリコイルバネ４４は、支持軸２１を中心にして図８の反時計方向へ係合ピン２６に対して爪部材１３を付勢している。すなわち、ネジリコイルバネ４４は、係合孔１３ｅの一端１３ｇに係合ピン２６が接触するように、爪部材１３を付勢している。
【００４９】
フィッシング阻止ユニット４では、モータ２２が回転すると、モータ２２の動力が歯車列２３を介して支持軸２１に伝達され、支持軸２１が回転する。支持軸２１が回転すると、支持軸２１の回転力が歯車列２５を介して駆動ローラ１２に伝達され、駆動ローラ１２が固定軸３２を中心にして回転する。すなわち、駆動ローラ１２は、支持軸２１および歯車列２３、２５を介して伝達されるモータ２２の動力によって固定軸３２を中心にして回転する。
【００５０】
また、支持軸２１が回転すると、支持軸２１の回転力が歯車列２４を介してピン固定部材２７に伝達され、ピン固定部材２７が支持軸２１を中心にして回動する。また、係合ピン２６が係合孔１３ｅに係合しているため、ピン固定部材２７が回動すると、爪部材１３が支持軸２１を中心にして回動する。爪部材１３が支持軸２１を中心にして回動すると、固定軸３２を介して爪部材１３に保持されている駆動ローラ１２も支持軸２１を中心にして回動する。すなわち、駆動ローラ１２および爪部材１３は、支持軸２１、歯車列２３、２４、ピン固定部材２７および係合ピン２６を介して伝達されるモータ２２の動力によって支持軸２１を中心にして回転する。
【００５１】
移動機構１４は、図８（Ａ）に示すように、カード通過路８に配置されるカード２に駆動ローラ１２および爪部材１３の引抜き阻止爪１３ａが接触しないように駆動ローラ１２および爪部材１３がカード通過路８の上方へ退避している位置（退避位置）と、図８（Ｂ）、（Ｃ）に示すように、カード通過路８に配置されるカード２に対して駆動ローラ１２や爪部材１３が作用する位置（より具体的には、駆動ローラ１２がカード２に接触する位置や引抜き阻止爪１３ａがカード２に刺さる位置、作用位置）との間で、駆動ローラ１２および爪部材１３を移動させる。図８に示すように、駆動ローラ１２および爪部材１３が支持軸２１を中心にして反時計方向へ回動すると、駆動ローラ１２および爪部材１３は、退避位置から作用位置へ向かって移動し、駆動ローラ１２および爪部材１３が支持軸２１を中心にして時計方向へ回動すると、駆動ローラ１２および爪部材１３は、作用位置から退避位置へ向かって移動する。本形態の反時計方向は、支持軸２１を中心とする爪部材１３の回動方向における退避位置側となる第１方向であり、時計方向は、爪部材１３の回動方向における作用位置側となる第２方向である。なお、作用位置にある駆動ローラ１２および爪部材１３の引抜き阻止爪１３ａは、本体フレーム９の開口部９ａの中に配置されている。
【００５２】
本形態では、退避位置にある駆動ローラ１２および爪部材１３が支持軸２１を中心に反時計方向へ回動したときに、図８（Ｂ）に示すように、まず、駆動ローラ１２がカード２に接触するように、駆動ローラ１２が形成され、また、配置されている。すなわち、退避位置にある駆動ローラ１２および爪部材１３が作用位置に向かって移動すると、まず、駆動ローラ１２がカード２に接触する。具体的には、駆動ローラ１２は、カード２の上面に接触する。また、駆動ローラ１２がカード２に接触した後、さらに、駆動ローラ１２および爪部材１３が支持軸２１を中心に反時計方向へ回動すると、図８（Ｃ）に示すように、引抜き阻止爪１３ａがカード２に刺さる。具体的には、引抜き阻止爪１３ａは、カード２の上面側からカード２に刺さる。
【００５３】
上述のように、ピン固定部材２７に固定される係合ピン２６が円弧状に形成される爪部材１３の係合孔１３ｅに係合し、かつ、ネジリコイルバネ４４の付勢力によって、爪部材１３が反時計方向へ付勢されているため、駆動ローラ１２および爪部材１３が退避位置にある状態で、モータ２２が回転してピン固定部材２７が反時計方向へ回動すると、駆動ローラ１２がカード２に接触することで生じる時計方向への爪部材１３に対する抗力がネジリコイルバネ４４の付勢力と釣り合うまで、駆動ローラ１２および爪部材１３は、ピン固定部材２７と一緒に支持軸２１を中心にして反時計方向へ回動する。すなわち、図８（Ａ）に示す状態から図８（Ｂ）に示す状態まで、駆動ローラ１２および爪部材１３は、ピン固定部材２７と一緒に支持軸２１を中心にして反時計方向へ回動する。
【００５４】
その後、ピン固定部材２７がさらに反時計方向へ回動して、時計方向への爪部材１３に対する抗力がネジリコイルバネ４４の付勢力よりも大きくなると、ピン固定部材２７が反時計方向へ回動しても、ネジリコイルバネ４４が撓むため、駆動ローラ１２および爪部材１３は、係合孔１３ｅの他端１３ｈに係合ピン２６が接触するまで停止する。また、その後、ピン固定部材２７がさらに反時計方向へ回動して、係合孔１３ｅの他端１３ｈに係合ピン２６が接触すると、爪部材１３が係合ピン２６に押されるため、駆動ローラ１２および爪部材１３は、図８（Ｃ）に示すように、引抜き阻止爪１３ａがカード２に刺さるまでピン固定部材２７と一緒に支持軸２１を中心にして反時計方向へ回動する。なお、ピン固定部材２７が反時計方向へ回動している間は、モータ２２の動力で支持軸２１が回転しているため、固定軸３２を中心とする反時計方向の回転力が駆動ローラ１２に伝達されている。
【００５５】
本形態では、駆動ローラ１２がカード２に接触することで生じる時計方向への爪部材１３に対する抗力がネジリコイルバネ４４の付勢力よりも大きくなって係合孔１３ｅの一端１３ｇに接触する係合ピン２６が係合孔１３ｅの他端１３ｈに接触するまでピン固定部材２７が反時計方向へ回動する間に、駆動ローラ１２が反時計方向へ３〜４回転するように、歯車列２４の減速比が設定されている。カード２に外力が作用していなければ、駆動ローラ１２が反時計方向へ３〜４回転すると、カード２は、その奥端が駆動ローラ１２から抜けるまで前側へ移動する。すなわち、カード２に外力が作用していなければ、係合孔１３ｅの一端１３ｇに接触する係合ピン２６が係合孔１３ｅの他端１３ｈに接触するまでピン固定部材２７が反時計方向へ回動する間に、駆動ローラ１２は、カード２の奥端が駆動ローラ１２から抜けるまでカード２を前側へ移動させる。
【００５６】
（カードリーダの概略動作）
カードリーダ１では、通常、駆動ローラ１２および爪部材１３は、カード通過路８を通過するカード２に接触しないようにカード通過路８の上方へ退避しており（すなわち、退避位置にあり）、カード２の挿入操作時や引抜き操作時に、駆動ローラ１２や爪部材１３にカード２が接触することはない。
【００５７】
一方、挿入検知手段によって、カード２が所定時間以上、カードリーダ１に挿入されていることが検知されると、フィッシングが行われるおそれがあると推定して、モータ２２が起動する。モータ２２が回転して、退避位置にある駆動ローラ１２および爪部材１３が反時計方向へ回動すると、上述のように、まず、駆動ローラ１２がカード２に接触して回転し、カード２の排出を試みる。すなわち、係合孔１３ｅの一端１３ｇに接触する係合ピン２６が係合孔１３ｅの他端１３ｈに接触するまでピン固定部材２７が反時計方向へ回動する間、駆動ローラ１２を用いてカード２の排出を試みる。
【００５８】
駆動ローラ１２によってカード２が排出されれば、ユーザは、排出されたカード２を持ち帰ることができる。一方、駆動ローラ１２によってカード２が排出されない場合には、引抜き阻止爪１３ａがカード２に刺さるため、犯罪者によるカード２の持ち去りを阻止することが可能になる。
【００５９】
（本形態の主な効果）
以上説明したように、本形態のカードリーダ１は、カード２に接触してカード２を手前側へ移動させる駆動ローラ１２と、カード２に刺さってカード２の引抜きを阻止する爪部材１３とを備えており、挿入検知手段によって、カード２が所定時間以上、カードリーダ１に挿入されていることが検知されると、フィッシングが行われるおそれがあると推定して、退避位置にある駆動ローラ１２および爪部材１３が作用位置へ移動する。そのため、本形態では、犯罪者が何らかの仕掛けをしてカード２を詰まらせた場合であっても、上述のように、駆動ローラ１２によってカードリーダ１からカード２を強制的に排出して、ユーザがカード２を持ち帰ることが可能になるか、あるいは、爪部材１３によってカードリーダ１からのカード２の引抜きを阻止して、犯罪者によるカード２の持ち去りを防止することが可能になる。したがって、本形態では、フィッシングを阻止することが可能になる。
【００６０】
本形態では、通常、駆動ローラ１２および爪部材１３は、カード通過路８を通過するカード２に接触しないようにカード通過路８の上方へ退避しており、カード２の挿入操作時や引抜き操作時に、駆動ローラ１２や爪部材１３にカード２が接触することはない。そのため、本形態では、駆動ローラ１２や爪部材１３に起因するカード２の挿入負荷やカード２の引抜き負荷の変動を防止することが可能になる。したがって、本形態では、挿入時および引抜き時のカード２の移動速度の変動を抑制することが可能になる。その結果、本形態では、ユーザによるカードリーダ１へのカード２の挿入操作やカードリーダ１からのカード２の引抜き操作が容易になる。また、本形態では、挿入時および引抜き時のカード２の移動速度の変動を抑制することが可能になるため、カード２の挿入時や引抜き時に行われる磁気データの読取りや書込みのエラーが発生しにくくなる。
【００６１】
本形態では、退避位置にある駆動ローラ１２および爪部材１３が支持軸２１を中心に反時計方向へ回動すると、まず、駆動ローラ１２がカード２に接触し、その後、さらに、駆動ローラ１２および爪部材１３が支持軸２１を中心に反時計方向へ回動すると、引抜き阻止爪１３ａがカード２に刺さる。そのため、本形態では、犯罪者の何らかの仕掛けによってカード２が詰まっても、カード２を強制的に排出できる場合には、引抜き阻止爪１３ａがカード２に刺さらない。したがって、本形態では、犯罪者の何らかの仕掛けによってカード２が詰まっても、カード２を強制的に排出できる場合には、カード２の傷の発生を防止することが可能になり、その結果、強制排出されたカード２を引き続き使用することが可能になる。
【００６２】
本形態では、駆動ローラ１２がカード２に接触することで生じる時計方向への爪部材１３に対する抗力がネジリコイルバネ４４の付勢力よりも大きくなって、係合孔１３ｅの他端１３ｈに係合ピン２６が接触するまで駆動ローラ１２および爪部材１３が停止しても、ピン固定部材２７に固定された係合ピン２６は支持軸２１を中心に回動する。そのため、本形態では、駆動ローラ１２および爪部材１３が停止しても、ネジリコイルバネ４４による反時計方向への爪部材１３の付勢力が高くなる。すなわち、ネジリコイルバネ４４による反時計方向への駆動ローラ１２の付勢力が高くなり、駆動ローラ１２とカード２との接触圧を高めることが可能になる。また、本形態では、カード２に接触して回転する駆動ローラ１２に対向配置される対向部が本体フレーム９に形成されており、この対向部が駆動ローラ１２とカード２との接触圧を高める機能を果たしている。したがって、本形態では、駆動ローラ１２によるカード２の強制排出力を高めることが可能になり、その結果、カード２を傷つけることなく、フィッシングを阻止することが可能になる。
【００６３】
本形態では、カード２に接触して回転する駆動ローラ１２によってカード２の強制排出が行われている。そのため、本形態では、比較的簡易な構成で、カード２の強制排出量を確保することが可能になる。また、本形態では、駆動ローラ１２がカード２に接触することで生じる時計方向への爪部材１３に対する抗力がネジリコイルバネ４４の付勢力よりも大きくなって係合孔１３ｅの一端１３ｇに接触する係合ピン２６が係合孔１３ｅの他端１３ｈに接触するまでピン固定部材２７が反時計方向へ回動する間に、カード２に外力が作用していなければ、カード２の奥端が駆動ローラ１２から抜けるまで駆動ローラ１２がカード２を前側へ移動させるため、引抜き阻止爪１３ａがカード２に刺さる前の駆動ローラ１２による前側へのカード２の移動量を大きくすることが可能になる。すなわち、本形態では、引抜き阻止爪１３ａがカード２に刺さる前の、駆動ローラ１２によるカードリーダ１からのカード２の排出量を大きくすることが可能になる。
【００６４】
本形態では、モータ２２を用いて、支持軸２１を中心にして駆動ローラ１２および爪部材１３を回動させるとともに、固定軸３２を中心にして駆動ローラ１２を回転させている。すなわち、本形態では、共通のモータ２２を用いて、駆動ローラ１２および爪部材１３を回動させるとともに駆動ローラ１２を回転させている。そのため、本形態では、カードリーダ１の構成を簡素化することが可能になる。また、本形態では、カード２に刺さる引抜き阻止爪１３ａを有する爪部材１３に駆動ローラ１２が回転可能に保持されているため、駆動ローラ１２を保持するための部材や、退避位置と作用位置との間で駆動ローラ１２を移動させるための機構を別途設ける必要がない。したがって、本形態では、カードリーダ１の構成を簡素化することが可能になる。
【００６５】
本形態では、フィッシング阻止ユニット４を構成する駆動ローラ１２、爪部材１３、移動機構１４および制御基板１５等が共通のフレーム１６に取り付けられており、これらの構成がユニット化されている。また、本形態では、フィッシング阻止ユニット４は、ネジを用いて、フレーム１６を本体フレーム９に固定するとともに、コネクタを介して制御基板１５に接続されたＦＦＣ１７の一端を制御基板１０のコネクタに差し込むことで、本体フレーム９の上面側に取り付けられており、ＦＦＣ１７の一端を制御基板１０のコネクタから抜いて、フレーム１６を本体フレーム９に固定するためのネジを取り外せば、カードリーダ本体部３からフィッシング阻止ユニット４を容易に取り外すことができる。そのため、本形態では、市場に設置されて既に使用されているカードリーダ本体部３に、フィッシング阻止ユニット４を後付けすることが可能になる。したがって、本形態では、市場で既に使用されているカードリーダ本体部３に対して、フィッシング対策を容易に行うことが可能になる。
【００６６】
（他の実施の形態）
上述した形態は、本発明の好適な形態の一例ではあるが、これに限定されるものではなく本発明の要旨を変更しない範囲において種々変形実施が可能である。
【００６７】
上述した形態では、フィッシング阻止ユニット４は、駆動ローラ１２と爪部材１３とを備えている。この他にもたとえば、フィッシング阻止ユニット４は、駆動ローラ１２のみを備えていても良いし、爪部材１３のみを備えていても良い。また、上述した形態では、フィッシング阻止ユニット４は、カード２に接触してカード２を手前側へ移動させる排出手段として、駆動ローラ１２を備えているが、フィッシング阻止ユニット４は、駆動ローラ１２に代えて、前後方向へ直線的に移動するカード排出爪等を備えていても良い。この場合には、このカード排出爪がカード２に接触してカード２を手前側へ移動させる。
【００６８】
上述した形態では、フィッシングが行われるおそれがあると推定されると、モータ２２が起動して、引抜き阻止爪１３ａがカード２に刺さる位置まで、ピン固定部材２７が回動している。この他にもたとえば、ピン固定部材２７が反時計方向へ回動している状態で、カードリーダ１からカード２が引き抜かれたことが挿入検知手段によって検知された場合に、モータ２２を停止させてピン固定部材２７を停止させても良い。また、カードリーダ１からカード２が引き抜かれたことが挿入検知手段によって検知されない場合であっても、引抜き阻止爪１３ａがカード２に刺さる前に、モータ２２を停止させてピン固定部材２７を停止させても良い。すなわち、駆動ローラ１２によるカード２の排出の試みのみを行っても良い。
【００６９】
上述した形態では、共通のモータ２２を用いて、駆動ローラ１２および爪部材１３を回動させるとともに駆動ローラ１２を回転させている。この他にもたとえば、駆動ローラ１２および爪部材１３を回動させるモータと、駆動ローラを回転させるモータとが個別に設けられても良い。また、上述した形態では、爪部材１３は、ネジリコイルバネ４４によって係合ピン２６に対して付勢されているが、爪部材１３は、引張りコイルバネ等の他のバネ部材によって係合ピン２６に対して付勢されても良い。
【００７０】
上述した形態では、カードリーダ本体部３は、磁気ヘッドを備えている。この他にもたとえば、カードリーダ本体部３は、磁気ヘッドに加えて、または、磁気ヘッドに代えて、ＩＣ接点や通信用のアンテナ等を備えていても良い。
【符号の説明】
【００７１】
１  カードリーダ
２  カード
３  カードリーダ本体部
４  フィッシング阻止ユニット（ユニット部）
１２  駆動ローラ（排出手段）
１３  爪部材（引抜き阻止手段）
１３ａ  引抜き阻止爪
１３ｅ  係合孔
１３ｇ  一端（第１方向端）
１３ｈ  他端（第２方向端）
１４  移動機構
２１  支持軸
２２  モータ（駆動源）
２４  歯車列（第１歯車列）
２５  歯車列（第２歯車列）
２６  係合ピン
２７  ピン固定部材
２７ａ  歯部
４２  歯車（出力歯車）
４４  ネジリコイルバネ（付勢部材）
Ｘ１  挿入側
Ｘ２  引抜き側
【図１】
2015014842.tif 000003
【図２】
2015014842.tif 000004
【図３】
2015014842.tif 000005
【図４】
2015014842.tif 000006
【図５】
2015014842.tif 000007
【図６】
2015014842.tif 000008
【図７】
2015014842.tif 000009
【図８】
2015014842.tif 000010